(57)【要約】【課題】簡易な構成で、針状の放電電極を十分に清掃できるイオン発生器及び該イオン発生器を用いたイオン発生装置を提供する。【解決手段】放電電極３１ａ，３１ｂは夫々、導電性を有するバネ３６ａ，３６ｂにより、基板３４上の配線層に接続されている。放電電極３１ａ，３１ｂは支持部３７ａ，３７ｂに軸長方向に移動自在に嵌めこまれ、支持されている。清掃体３８ａ，３８ｂは、大径とされた支持部３７ａ，３７ｂの上側開口部に夫々の外縁部を嵌め合わせて取り付けられており、清掃体３８ａ，３８ｂ夫々の扇形部分の先端は放電電極３１ａ，３１ｂの周面に接触する。【選択図】図５
2016046046.tif 000002
【特許請求の範囲】
【請求項１】
針状の放電電極を備え、該放電電極に電圧を印加することによりイオンを発生させるイオン発生器において、前記放電電極が、針先が突出するように軸長方向に挿入されている筒部を有し、該筒部により前記放電電極を軸長方向に移動自在に支持する支持体と、
前記放電電極を前記筒部から突出する方向に付勢する弾性体と、
前記放電電極の移動経路へ突出するように設けられ、前記放電電極が移動することにより前記放電電極を清掃する清掃体とを備えること
を特徴とするイオン発生器。
【請求項２】
前記清掃体は、前記筒部の内面に突設されていることを特徴とする請求項１に記載のイオン発生器。
【請求項３】
前記清掃体は、扇状部分を有し、該扇状部分の先端は、前記放電電極の移動経路に位置し、前記弾性体が縮小する場合の前記放電電極の進行方向に傾斜していることを特徴とする請求項２に記載のイオン発生器。
【請求項４】
前記放電電極は、前記弾性体を介して電圧が印加されることを特徴とする請求項１から３までのいずれか一つに記載のイオン発生器。
【請求項５】
請求項１から４までのいずれか一つに記載のイオン発生器と、
空気を前記イオン発生器に送風し、空気流を発生させ、該空気流により前記イオン発生器が発生させたイオンを外部に放出する送風機とを備えること
を特徴とするイオン発生装置。
【発明の詳細な説明】
【技術分野】
【０００１】
本発明は、正イオン及び負イオンを発生するイオン発生器及び該イオン発生器を備えるイオン発生装置に関する。
【背景技術】
【０００２】
従来、例えば、居住空間内の空気を清浄化することを目的にイオン発生装置が用いられている。イオン発生装置は送気口及び吸気口が設けられた外筐と、該外筐の内部に設置されるイオン発生器及び送風機とを備え、該イオン発生器が発生する正イオン及び負イオンを送風機の動作により発生する空気流と共に搬送し、送気口を経て居住空間に放出させるように構成されている。
イオン発生器は、例えば、針状又は鋸歯状の放電電極と、該放電電極に対向する対向電極とを備え、イオンは、両電極間に電圧を印加することで発生される。
【０００３】
上記の構成のイオン発生器は、放電電極及び対向電極間に高電圧を印加することから、静電気により放電電極に空気中の塵埃が吸着される。これにより、放電電極と対向電極との間での放電が不十分となり、所望のイオン発生量が得られなくなる場合がある。この場合には、十分な量のイオンを発生させるために、放電電極を清掃し、吸着された塵埃を除去する必要がある。
【０００４】
放電電極は、例えば綿棒等の清掃具を用いて付着した塵埃が拭き取られることで清掃される。特許文献１には、鋸歯状の放電電極と、該放電電極に対して接離移動する清掃体（清掃部材）とを備えるコロナ放電装置が記載されている。清掃体はウレタン等の柔軟な材料製の板体であり、放電電極は清掃体を突き刺し、貫通するか、又は貫通させた清掃体から引き抜かれることで清掃される。
【先行技術文献】
【特許文献】
【０００５】
【特許文献１】特開２００７−１４００４７号公報
【発明の概要】
【発明が解決しようとする課題】
【０００６】
しかしながら、清掃具による清掃は、人手により行われるため拭き残しや拭きムラができ、清掃が十分でないという問題がある。また、特許文献１では、清掃体を移動させる装置が必要となり、コストの上昇及びイオン発生装置の構成が複雑になる等の問題が生じる。
【０００７】
本発明は、斯かる事情に鑑みてなされたものであり、その目的とするところは、簡易な構成で、針状の放電電極を十分に清掃できるイオン発生器及び該イオン発生器を用いたイオン発生装置を提供することにある。
【課題を解決するための手段】
【０００８】
本発明に係るイオン発生器は、針状の放電電極を備え、前記放電電極に電圧を印加することによりイオンを発生させるイオン発生器において、前記放電電極が、針先が突出するように軸長方向に挿入されている筒部を有し、該筒部により前記放電電極を軸長方向に移動自在に支持する支持体と、前記放電電極を前記筒部から突出する方向に付勢する弾性体と、前記放電電極の移動経路へ突出するように設けられ、前記放電電極が移動することにより前記放電電極を清掃する清掃体とを備えることを特徴とする。
【０００９】
本発明に係るイオン発生器は、前記清掃体は、前記筒部の内面に突設されていることを特徴とする。
【００１０】
本発明に係るイオン発生器は、前記清掃体は、扇状部分を有し、該扇状部分の先端は、前記放電電極の移動経路に位置し、前記弾性体が縮小する場合の前記放電電極の進行方向に傾斜していることを特徴とする。
【００１１】
本発明に係るイオン発生器は、前記放電電極は、前記弾性体を介して電圧が印加されることを特徴とする。
【００１２】
本発明に係るイオン発生装置は、上述のイオン発生器と、空気を前記イオン発生器に送風し、空気流を発生させ、該空気流により前記イオン発生器が発生させたイオンを外部に放出する送風機とを備えることを特徴とする。
【発明の効果】
【００１３】
本発明によれば、簡易な構成で、針状の放電電極を十分に清掃できる。
【図面の簡単な説明】
【００１４】
【図１】実施の形態１に係るイオン発生装置の外観を略示する斜視図である。
【図２】実施の形態１に係るイオン発生装置の内部構成を略示する正面断面図である。
【図３】実施の形態１に係るイオン発生装置の内部構成を略示する側断面図である。
【図４】イオン発生器の外観を略示する斜視図である。
【図５】図４のＶ−Ｖ線によるイオン発生器の断面図である。
【図６】実施の形態１に係る清掃体の斜視図である。
【図７】放電電極の清掃途中の状態を示す説明図である。
【図８】イオン発生装置の制御系の構成を示すブロック図である。
【図９】実施の形態１に係る制御部の動作を示すフローチャートである。
【図１０】変形例１に係る清掃体の配置を示す断面図である。
【図１１】変形例２に係る清掃体の斜視図である。
【図１２】実施の形態２に係る制御部の動作を示すフローチャートである。
【図１３】実施の形態３に係る制御部の動作を示すフローチャートである。
【図１４】実施の形態４に係るイオン発生装置の内部構成を略示する正面断面図である。
【発明を実施するための形態】
【００１５】
以下、本発明に係るイオン発生器及び該イオン発生器を備えるイオン発生装置についてその実施の形態を示す図面に基づいて詳述する。
（実施の形態１）
図１は、実施の形態１に係るイオン発生装置の外観を略示する斜視図である。図２は、実施の形態１に係るイオン発生装置の内部構成を略示する正面断面図である。図３は、同じく側断面図である。
【００１６】
図示の如く、イオン発生装置は、外筐１の内部に送風機２及びイオン発生器３を備えている。外筐１は、矩形断面の中空筒形をなす吸気筐１０と送気筐１１とを、夫々の一端部を同軸上に整合させ、相互に連結して構成されている。
【００１７】
吸気筐１０の他端部には、略全面に開口する吸気口１２が設けてある。また、吸気筐１０の内部には、集塵フィルタ１３が取り付けてある。該集塵フィルタ１３は、有底筒状をなすフィルタホルダ１４に、底面の略全部、及び底面に連続する周面の一部を覆うように、一体又は別体に保持されている。
【００１８】
フィルタホルダ１４は、開口側の外面に周設されたフランジ１４ａを備えており、図２に示すように集塵フィルタ１３は、フィルタホルダ１４のフランジ１４ａを吸気筐１０の開口部内面に周設された鍔部１０ａ上に載置することにより、吸気筐１０の内部で、前記吸気口１２の全面を覆うように取り付けられている。
【００１９】
吸気口１２と同側の吸気筐１０の外面には、四隅の夫々に支持脚１５が突設されている。イオン発生装置は、図２に示すように支持脚１５の夫々により、吸気筐１０を下とし、送気筐１１を上とした起立姿勢で載置面Ａ上に支持した状態で使用される。この時、吸気筐１０に設けた吸気口１２は載置面Ａの上方に、支持脚１５の高さ分だけ離隔した状態で対向する。載置面Ａは、床面、机又は棚の天面等である。
【００２０】
一方、送気筐１１の内部には、円筒形の通気ダクト１６が同軸をなすように固定してあり、送気筐１１の他端部には、通気ダクト１６の一端に整流用のグリッドを備えて構成された送気口１７が開設されている。
【００２１】
送風機２は、円筒形をなすハウジング２０、該ハウジング２０の中心部に同軸的に固設されたモータ２１、及び該モータ２１の出力端に取り付けた羽根車２２とを備える軸流送風機であり、ハウジング２０を通気ダクト１６に内嵌固定し、図２に示すように羽根車２２が、吸気筐１０との連結側に位置するように取り付けてある。
【００２２】
送風機２の羽根車２２は、モータ２１の駆動により回転し、ハウジング２０の内部に下方から上方に向けて軸方向に流れる空気流を発生する。これにより、吸気筐１０内には、図２中に矢印により示す如く、下端に開口する吸気口１２を経て外気が吸い込まれ、吸い込まれた外気は、吸気口１２の内側を覆う集塵フィルタ１３を通り、塵埃を捕捉、除去された状態で上方に流れて送風機２に達し、該送風機２により上方に送られ、通気ダクト１６の上端に開口する送気口１７を経て外部に送り出される。
【００２３】
図４は、イオン発生器３の外観を略示する斜視図である。イオン発生器３は、筐体３０と、二本の放電電極３１ａ，３１ｂと、二つの対向電極３２ａ，３２ｂとを備える。筐体３０は、外形が直方体状をなす。放電電極３１ａ，３１ｂは針状をなし、筐体３０の一面に突設され、短辺に沿って所定距離離隔して並べてある。対向電極３２ａ，３２ｂは円環状をなし、筐体３０の内部で放電電極３１ａ，３１ｂのそれぞれを囲むように配されている。
【００２４】
放電電極３１ａ，３１ｂは、保護カバー３３により覆われている。保護カバー３３は、筐体３０の前記一面の短手方向両端部から夫々立ち上がる支持脚３３２と、該支持脚３３２間に架け渡された天板３３１とを有する。天板３３１は、筐体３０の前記一面と平行であり、放電電極３１ａ，３１ｂの先端から所定距離離隔している。天板３３１には、放電電極３１ａ，３１ｂ夫々に対応する位置に孔３３ａ，３３ｂが貫設されている。
【００２５】
図５は、図４のＶ−Ｖ線によるイオン発生器の断面図である。以下では、筐体３０の前記一面を上側とする。筐体３０の内部には、上下に離隔した位置に基板３４、３５が架設されている。下側の基板３４の上面には、放電電極３１ａ，３１ｂに接続される配線層（図示せず）が形成されている。放電電極３１ａ，３１ｂは夫々、導電性を有するバネ３６ａ，３６ｂにより、基板３４上の前記配線層に接続されている。前記配線層は、高電圧生成回路（図示せず）に接続されている。
基板３５上には対向電極３２ａ，３２ｂが、該対向電極３２ａ，３２ｂ及び前記高電圧生成回路に接続された配線層（図示せず）と共に形成されている。
【００２６】
基板３５の上側には、保護カバー３３の底板３３３が位置している。底板３３３には、放電電極３１ａ，３１ｂ夫々に対応する位置に円筒状の支持部３７ａ，３７ｂが下向きに突設されている。支持部３７ａ，３７ｂは、基板３５を貫通して下方に延びており、放電電極３１ａ，３１ｂは支持部３７ａ，３７ｂに軸長方向に移動自在に嵌めこまれ、支持されている。
【００２７】
支持部３７ａ，３７ｂの上側には、他の部分より径の大きい部分が形成され、これらの大径部分には、清掃体３８ａ，３８ｂが保持されている。図６は、実施の形態１に係る清掃体３８ａの斜視図である。清掃体３８ａは、円板状をなし、外縁部を除く部分は薄膜状になっており、周方向に八等分されている。八等分された扇状部分の夫々は、先端が中心に位置し、下側に傾斜している。清掃体３８ｂは、清掃体３８ａと同様の構造を有する。清掃体３８ａ，３８ｂの材質としては、例えばウレタンが用いられる。
【００２８】
清掃体３８ａ，３８ｂは、大径とされた支持部３７ａ，３７ｂの上側開口部に夫々の外縁部を嵌め合わせ、図５に示す如く取り付けられており、清掃体３８ａ，３８ｂ夫々の扇状部分の先端は、支持部３７ａ，３７ｂから突出する放電電極３１ａ，３１ｂの周面に接触する。このように取り付けられた清掃体３８ａ，３８ｂは、後述の如く、放電電極３１ａ，３１ｂに付着した塵埃を除去するために使用される。
【００２９】
イオン発生器３は図３に示すように、送気筐１１の連結側端部に突設された支持体３９ａにより支持され、放電電極３１ａ，３１ｂが吸気筐１０の内部に位置するように取り付けてられている。支持体３９ａは先端部に係合爪３９ｂを備え、該係合爪３９ｂと対向するように基部に止め板３９ｃを備えており、イオン発生器３は、係合爪３９ｂと止め板３９ｃとの間に筐体３０を挟持して固定される。
【００３０】
放電電極３１ａ及び対向電極３２ａ間に、基板３４及び３５に形成された配線層、前記高電圧生成回路及び弾性体３６ａを介して駆動電圧が印加されると、コロナ放電が発生する。同様に放電電極３１ｂ及び対向電極３２ｂ間にもコロナ放電が発生する。これにより、イオン発生器３はイオンを発生する。
【００３１】
放電電極３１ａ，３１ｂに、正極性の高電圧を印加した場合正イオンＨ+（Ｈ2Ｏ）ｍ（ｍは自然数）を発生し、負極性の高電圧を印加した場合、負イオンＯ2-（Ｈ2Ｏ）ｎ（ｎは自然数）を発生する。発生したイオンは、送風機２の動作により発生する空気流により搬送され送気口１７を経て、外筐１の外部に放出される。
【００３２】
以上のイオンの発生動作において、放電電極３１ａ及び対向電極３２ａ間、放電電極３１ｂ及び対向電極３２ｂ間に高電圧を印加するので、放電電極３１ａ，３１ｂに塵埃が付着する。
【００３３】
塵埃が付着した放電電極３１ａ，３１ｂは、以下の手順により清掃することができる。図７は、放電電極３１ａの清掃途中の状態を示す説明図である。運転中の放電電極３１ａは、図５に示す如く支持部３７ａから上方に突出しており、該放電電極３１ａの周面には、清掃体３８ａが接触した状態にある。
放電電極３１ａを清掃する場合、該放電電極３１ａの上方に開口する孔３３ａに棒状の治具を差し込み、該治具の先端を放電電極３１ａに当て、図７に示す如く、弾性体３６ａの付勢に抗して支持部３７ａ内に放電電極３１ａを押し込み、その後押し込みから解放する。放電電極３１ａは押し込みの解放により弾性体３６ａの付勢力の作用で上方に移動し、元の姿勢に戻る。
【００３４】
この時、放電電極３１ａの先端は、清掃体３８ａの扇状部分の先端と接触し、放電電極３１ａに付着した塵埃が除去される。したがって、放電電極３１ａを下側に押し込むだけで容易に放電電極３１ａの清掃ができる。放電電極３１ｂについても同様の動作で、容易に清掃することができる。
なお、放電電極３１ａ，３１ｂの押し込みに使用する治具は、綿棒等、柔らかい先端を有する棒体を使用するのが望ましく、これにより、押し込みに伴う放電電極３１ａ，３１ｂの損傷を防止することができる。
【００３５】
清掃体３８ａ，３８ｂの扇状部分の先端は、夫々、下側に傾斜しているので、放電電極３１ａ，３１ｂが通過する場合、夫々に全周において確実に当たり、放電電極３１ａ，３１ｂを良好に清掃できる。
【００３６】
図８は、イオン発生装置の制御系の構成を示すブロック図である。イオン発生装置は運転スイッチ４と，送風機２及びイオン発生器３の動作を制御する制御装置５を備える。
【００３７】
制御装置５は、送風機２及びイオン発生器３の作動及び停止を制御する制御部５１と、該制御部５１が実行するプログラム及び各種データ等を記憶する記憶部５２を有する。更に、制御装置５は、タイマー５３と、入出力部５４とを有する。
【００３８】
送風機２は、該送風機２を駆動する駆動回路２ａを、イオン発生器３は、放電電極３１ａ，３１ｂ及び対向電極３２ａ，３２ｂにより構成されるイオン発生部３ｂと、該イオン発生部３ｂを駆動する駆動回路３ａを有する。駆動回路２ａと、駆動回路３ａと、運転スイッチ４とは入出力部５４に夫々接続されている。
【００３９】
次に、イオン発生装置の動作を説明する。図９は、実施の形態１に係る制御部５１の動作を示すフローチャートである。制御部５１は、入出力部５４に入力される情報に基づいて、運転スイッチ４のオンオフを判定する。制御部５１は、運転スイッチ４がオフであると判定した場合（Ｓ１：ＮＯ）、処理をステップＳ１に戻す。
【００４０】
制御部５１は、運転スイッチ４がオンであると判定した場合（Ｓ１：ＹＥＳ）、入出力部５４を介して、駆動回路２ａに送風機２の駆動命令を出力し、送風機２を駆動させる（Ｓ２）。また、制御部５１はタイマー５３を作動させ、送風機２の駆動時間の計時を開始させる（Ｓ３）。
【００４１】
制御部５１は、タイマー５３の計時時間に基づいて、送風機２の駆動時間があらかじめ記憶部５２に記憶された所定時間以上であるか否か判定する（Ｓ４）。制御部５１は、送風機２の駆動時間が所定時間より短いと判定した場合（Ｓ４：ＮＯ）、処理をステップＳ４に戻す。制御部５１は、送風機２の駆動時間が所定時間以上であると判定した場合（Ｓ４：ＹＥＳ）、タイマー５３の計時を終了させる（Ｓ５）。更に、制御部５１は入出力部５４を介して、駆動回路３ａにイオン発生部３ｂの駆動命令を出力し、イオン発生器３を作動させる（Ｓ６）。
【００４２】
その後、制御部５１は、運転スイッチ４のオンオフを判定する（Ｓ７）。制御部５１は、運転スイッチ４がオン状態を継続していると判定した場合（Ｓ７：ＮＯ）、処理をステップＳ７に戻す。制御部５１は、運転スイッチ４がオフであると判定した場合（Ｓ７：ＹＥＳ）、入出力部５４を介して駆動回路２ａに送風機２の停止命令を出力し、送風機２を停止させる（Ｓ８）。また、制御部５１は、駆動回路３ａにイオン発生部３ｂの停止命令を出力し、イオン発生器３を停止させ（Ｓ９）、イオンの発生の動作を終了する。
【００４３】
上記の構成では、制御部５１は、運転スイッチ４がオンとなってから、イオン発生器３を作動させる前に、送風機２のみを駆動させる。したがって、イオン発生器３が作動する前に、送風機２の動作により発生する空気流により、放電電極３１ａ，３１ｂに付着した塵埃を吹き飛ばすことができる。即ち、イオンの発生前に放電電極３１ａ，３１ｂを自動で清掃し、イオン発生器３の十分なイオン発生を担保することができる。
【００４４】
なお、イオン発生装置は、送風機２に加えて別の送風機を備え、該別の送風機により、イオン発生器３の作動前に放電電極３１ａ，３１ｂの塵埃を吹き飛ばす構成としてもよい。
【００４５】
（変形例１）
図１０は、変形例１に係る清掃体３８ａ，３８ｂの配置を示す断面図である。本変形例では、底板３３３の上面にて、清掃体３８ａ，３８ｂ夫々が支持部３７ａ，３７ｂに同軸的に固定されている。放電電極３１ａ，３１ｂは、清掃体３８ａ，３８ｂを通過することにより、清掃される。
【００４６】
（変形例２）
図１１は、変形例２に係る清掃体の斜視図である。変形例２では、清掃体３８ａ，３８ｂに代えて、円柱状をなし、一面から他面にかけて軸線方向に貫通する切れ込みが設けられた清掃体３９を、放電電極３１ａ，３１ｂの移動経路に配する。放電電極３１ａ，３１ｂは、夫々、清掃体３９を通過することで容易に清掃される。
【００４７】
（実施の形態２）
図１２は、実施の形態２に係る制御部５１の動作を示すフローチャートである。以下、実施の形態２に係るイオン発生装置の動作について説明する。
【００４８】
制御部５１は、運転スイッチ４のオンオフを判定する（Ｓ１１）。制御部５１は、運転スイッチ４がオフであると判定した場合（Ｓ１１：ＮＯ）、処理をステップＳ１１に戻す。
【００４９】
制御部５１は、運転スイッチ４がオンであると判定した場合（Ｓ１１：ＹＥＳ）、駆動回路２ａに送風機２の駆動命令を出力し、送風機２を駆動させる（Ｓ１２）。また、制御部５１は、駆動回路３ａにイオン発生部３ｂの駆動命令を出力し、イオン発生器３を作動させる（Ｓ１３）。
【００５０】
その後、制御部５１は、運転スイッチ４のオンオフを判定する（Ｓ１４）。制御部５１は、運転スイッチ４がオン状態を維持していると判定した場合（Ｓ１４：ＮＯ）、処理をステップＳ１４に戻す。制御部５１は、運転スイッチ４がオフであると判定した場合（Ｓ１４：ＹＥＳ）、入出力部５４を介して、駆動回路３ａにイオン発生部３ｂの停止命令を出力し、イオン発生器３を停止させる（Ｓ１５）。また、制御部５１はタイマー５３を作動させ、イオン発生器３の停止後の経過時間の計時を開始させる（Ｓ１６）。
【００５１】
制御部５１は、タイマー５３の計時時間に基づいて、イオン発生器３の停止後の経過時間があらかじめ記憶部５２に記憶された所定時間以上であるか否か判定する（Ｓ１７）。制御部５１は、イオン発生器３の停止後の経過時間が所定時間より短いと判定した場合（Ｓ１７：ＮＯ）、処理をステップＳ１７に戻す。イオン発生器３の停止後の経過時間が所定時間以上であると判定した場合（Ｓ１７：ＹＥＳ）、制御部５１は、タイマー５３の計時を終了させる（Ｓ１８）。更に、制御部５１は入出力部５４を介して、駆動回路２ａに送風機２の停止命令を出力し、送風機２を停止させ（Ｓ１９）、そのイオンの発生の動作を終了する。
【００５２】
以上の動作では、制御部５１は、運転スイッチ４がオフとなった場合、イオン発生器３を停止させ、所定時間後に送風機２を停止させる。したがって、イオン発生器３が停止した後、放電電極３１ａ及び３１ｂに付着した塵埃を送風機２の動作により発生する空気流により、吹き飛ばすことができる。これにより、イオンの発生の終了後に放電電極３１ａ及び３１ｂを自動で清掃し、次回の動作時のイオン発生器３の十分なイオン発生を担保することができる。
【００５３】
（実施の形態３）
図１３は、実施の形態３に係る制御部５１の動作を示すフローチャートである。以下、実施の形態３に係るイオン発生装置の動作について説明する。
【００５４】
制御部５１は、運転スイッチ４のオンオフを判定する（Ｓ２１）。運転スイッチ４がオフである場合（Ｓ２１：ＮＯ）、処理をステップＳ２１に戻す。
【００５５】
制御部５１は、運転スイッチ４がオンであると判定した場合（Ｓ２１：ＹＥＳ）、入出力部５４を介して駆動回路２ａに送風機２の駆動命令を出力し、送風機２を駆動させる（Ｓ２２）。また、制御部５１は、入出力部５４を介して駆動回路３ａにイオン発生部３ｂの駆動命令を出力し、イオン発生器３を作動させる（Ｓ２３）。また、制御部５１はタイマー５３を作動させ、イオン発生器３の作動時間の計時を開始させる（Ｓ２４）。
【００５６】
その後、制御部５１は、運転スイッチ４のオンオフを判定する（Ｓ２５）。制御部５１は、運転スイッチ４がオフであると判定した場合（Ｓ２５：ＹＥＳ）、入出力部５４を介して、駆動回路３ａにイオン発生部３ｂの停止命令を出力し、イオン発生器３を停止させ（Ｓ３３）、イオンの発生の動作を終了する。また、駆動回路２ａに送風機２の停止命令を出力し、送風機２を停止させる（Ｓ３４）。
【００５７】
制御部５１は、運転スイッチ４のオン状態が継続していると判定した場合（Ｓ２５：ＮＯ）、制御部５１は、タイマー５３の計時時間に基づいて、イオン発生器３の作動時間が、イオン発生器３の作動に係る所定時間Ｔ１以上であるか否か判定する（Ｓ２６）。所定時間Ｔ１は、あらかじめ記憶部５２に記憶されている。制御部５１は、イオン発生器３の作動時間が所定時間Ｔ１より短いと判定した場合（Ｓ２６：ＮＯ）、処理をステップＳ２５に戻す。
【００５８】
制御部５１は、イオン発生器３の作動時間が所定時間Ｔ１以上であると判定した場合（Ｓ２６：ＹＥＳ）、タイマー５３の計時を終了させる（Ｓ２７）。また、制御部５１は入出力部５４を介して、駆動回路３ａにイオン発生部３ｂの停止命令を出力し、イオン発生器３を停止させる（Ｓ２８）。更に、制御部５１はタイマー５３を作動させ、イオン発生器３の停止後の経過時間の計時を開始させる（Ｓ２９）。
【００５９】
その後、制御部５１は、運転スイッチ４のオンオフを判定する（Ｓ３０）。制御部５１は、運転スイッチ４がオフであると判定した場合（Ｓ３０：ＹＥＳ）、駆動回路２ａに送風機２の停止命令を出力し、送風機２を停止させ、イオンの発生の動作を終了する（Ｓ３４）。
【００６０】
制御部５１は、運転スイッチ４のオン状態が継続していると判定した場合（Ｓ３０：ＮＯ）、制御部５１は、タイマー５３の計時時間に基づいて、イオン発生器３の停止後の経過時間が、イオン発生器３の停止後の送風機２の駆動に係る所定時間Ｔ２以上であるか否か判定する（Ｓ３１）。所定時間Ｔ２は、あらかじめ記憶部５２に記憶されている。制御部５１は、イオン発生器３の停止後の経過時間が所定時間Ｔ２より短いと判定した場合（Ｓ３１：ＮＯ）、処理をステップＳ３０に戻す。
【００６１】
制御部５１は、イオン発生器３の停止後の経過時間が所定時間Ｔ２以上であると判定した場合（Ｓ３１：ＹＥＳ）、タイマー５３の計時を終了させ（Ｓ３２）、処理をステップＳ２３に戻す。
【００６２】
以上の構成では、運転スイッチ４がオンとなり、送風機２が駆動し、イオン発生器３が作動してから、イオン発生器３の作動時間をタイマー５３が計時する。タイマー５３が所定時間Ｔ１を計時した後、イオン発生器３のみが停止される。したがって、イオン発生器３が停止した後、放電電極３１ａ、３１ｂに付着した塵埃を送風機２の動作により発生する空気流により、吹き飛ばすことができる。
【００６３】
所定時間Ｔ２が経過した後、イオン発生器３が再度作動され、イオンが発生する。したがって、イオン発生装置を長時間駆動する場合であっても、間欠的に送風機２のみ駆動する運転となる。これにより、送風機２の動作により発生する空気流で、放電電極３１ａ，３１ｂに付着した塵埃を吹き飛ばすことができるので、イオンの発生量を十分に保つことができる。
【００６４】
なお、実施の形態３では、制御部５１により自動で、放電電極３１ａ及び３１ｂを清掃する構成としたが、イオン発生装置が、送風機２のみを駆動する掃除運転を別に受け付ける操作部を有する構成としてもよい。
【００６５】
（実施の形態４）
図１４は、実施の形態４に係るイオン発生装置の内部構成を略示する正面断面図である。実施の形態４のイオン発生装置において、実施の形態１と共通する構成については、同様の符号を付してその説明を省略する。
【００６６】
実施の形態４に係るイオン発生装置は、送気口１７に塵埃を捕捉する捕捉部６が取り付けられている。捕捉部６は、集塵フィルタ１３の網目よりも細かい。
【００６７】
したがって、吸気の際に塵埃が集塵フィルタ１３をすり抜け、放電電極３１ａ，３１ｂに付着した場合であっても、送風機２の空気流により吹き飛ばし、該塵埃を捕捉部６により捕捉することができる。これにより、イオン発生装置が設置される居住空間を清潔に保つことができる。
【００６８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【００６９】
本発明に係るイオン発生器（３）は、針状の放電電極（３１ａ，３１ｂ）を備え、該放電電極（３１ａ，３１ｂ）に電圧を印加することによりイオンを発生させるイオン発生器（３）において、前記放電電極（３１ａ，３１ｂ）が、針先が突出するように軸長方向に挿入されている筒部（３７ａ，３７ｂ）を有し、該筒部（３７ａ，３７ｂ）により前記放電電極（３１ａ，３１ｂ）を軸長方向に移動自在に支持する支持体（３３）と、前記放電電極（３１ａ，３１ｂ）を前記筒部（３７ａ，３７ｂ）から突出する方向に付勢する弾性体（３６ａ，３６ｂ）と、前記放電電極（３１ａ，３１ｂ）の移動経路へ突出するように設けられ、前記放電電極（３１ａ，３１ｂ）が移動することにより前記放電電極（３１ａ，３１ｂ）を清掃する清掃体（３８ａ，３８ｂ）とを備えることを特徴とする。
【００７０】
本発明にあっては、針状の放電電極（３１ａ，３１ｂ）は、支持体（３３）の筒部（３７ａ，３７ｂ）に針先が突出するように軸長方向に挿入され軸長方向に移動自在に支持されている。また、放電電極（３１ａ，３１ｂ）を筒部（３７ａ，３７ｂ）から突出する方向に付勢する弾性体（３６ａ，３６ｂ）が配されている。更に、清掃体（３８ａ，３８ｂ）が、放電電極（３１ａ，３１ｂ）の移動経路へ突出するように設けられている。
【００７１】
これにより、放電電極（３１ａ，３１ｂ）が筒部（３７ａ，３７ｂ）に押し込まれ、その後押し込みから解放された場合、弾性体（３６ａ，３６ｂ）の付勢力により、放電電極（３１ａ，３１ｂ）は移動する。放電電極（３１ａ，３１ｂ）の移動経路へ突出するように清掃体（３８ａ，３８ｂ）が設けられているので、放電電極（３１ａ，３１ｂ）が、清掃体（３８ａ，３８ｂ）を通過し、清掃される。
したがって、簡易な構造で、放電電極（３１ａ，３１ｂ）を十分に清掃できる。
【００７２】
本発明に係るイオン発生器（３）は、前記清掃体（３８ａ，３８ｂ）は、筒状体をなし、前記筒部（３７ａ，３７ｂ）の外側での前記放電電極（３１ａ，３１ｂ）の移動経路に配され、前記放電電極（３１ａ，３１ｂ）がその内部を通過することを特徴とする。
【００７３】
本発明にあっては、筒部（３７ａ，３７ｂ）の外側での放電電極（３１ａ，３１ｂ）の移動経路にて、筒状体をなす清掃体（３８ａ，３８ｂ）が突設されている。したがって、簡易に清掃体（３８ａ，３８ｂ）を設置でき、放電電極（３１ａ，３１ｂ）が清掃体（３８ａ，３８ｂ）を通過することで、容易に清掃される。
【００７４】
本発明に係るイオン発生器（３）は、前記清掃体（３８ａ，３８ｂ）は、前記筒部（３７ａ，３７ｂ）の内面に突設されていることを特徴とする。
【００７５】
本発明にあっては、清掃体（３８ａ，３８ｂ）は筒部（３７ａ，３７ｂ）の内面に突設されるので、簡易な構成となり、放電電極（３１ａ，３１ｂ）が清掃体（３８ａ，３８ｂ）を通過することで、容易に清掃される。
【００７６】
本発明に係るイオン発生器（３）は、前記清掃体（３８ａ，３８ｂ）は、扇状部分を有し、該扇状部分の先端は、前記放電電極（３１ａ，３１ｂ）の移動経路に位置し、前記弾性体（３６ａ，３６ｂ）が縮小する場合の前記放電電極（３１ａ，３１ｂ）の進行方向に傾斜していることを特徴とする。
【００７７】
本発明にあっては、清掃体（３８ａ，３８ｂ）は、扇状部分を有し、該扇状部分の先端は、前記放電電極の移動経路に位置し、弾性体（３６ａ，３６ｂ）が縮小する場合の放電電極（３１ａ，３１ｂ）の進行方向に傾斜している。したがって、放電電極（３１ａ，３１ｂ）が弾性体（３６ａ，３６ｂ）の付勢力により移動する場合、清掃体（３８ａ，３８ｂ）が、放電電極（３１ａ，３１ｂ）の全周において確実に当たる。したがって、放電電極（３１ａ，３１ｂ）を十分に清掃できる。
【００７８】
本発明に係るイオン発生器（３）は、前記放電電極（３１ａ，３１ｂ）は、前記弾性体（３６ａ，３６ｂ）を介して電圧が印加されることを特徴とする。
【００７９】
本発明にあっては、前記放電電極（３１ａ，３１ｂ）は、前記弾性体（３６ａ，３６ｂ）を介して電圧が印加される。したがって、電圧印加のための部材を別に用意する必要がない。
【００８０】
本発明に係るイオン発生装置は、上述のイオン発生器（３）と、空気を前記イオン発生器（３）に送風し、空気流を発生させ、該空気流により前記イオン発生器（３）が発生させたイオンを外部に放出する送風機（２）とを備えることを特徴とする。
【００８１】
本発明にあっては、イオン発生装置は、上述のイオン発生器（３）と送風機（２）を有している。これにより、十分に清掃された放電電極（３１ａ，３１ｂ）により、十分な量のイオンを発生させ、送風機（２）により、外部に放出できる。
【００８２】
本発明に係るイオン発生装置は、前記送風機（２）を作動させるスイッチ（４）と、
前記イオン発生器（３）及び前記送風機（２）の作動を制御する作動制御部（５１）とを備え、前記スイッチ（４）がオンとされた場合、前記作動制御部（５１）は、前記送風機（２）を作動させ、所定時間経過後、前記イオン発生器（３）を作動させるようにしてあることを特徴とする。
【００８３】
本発明にあっては、スイッチ（４）がオンとされた場合、作動制御部（５１）は、前記イオン発生器（３）を作動させる前に、送風機（２）を作動させ、所定時間イオン発生器（３）を作動させる。
したがって、イオン発生器（３）が作動する前に、送風機（２）の動作により発生する空気流により、放電電極（３１ａ，３１ｂ）に付着した塵埃を吹き飛ばすことができる。即ち、イオンの発生前に放電電極（３１ａ，３１ｂ）を自動で清掃し、イオン発生器（３）が十分にイオンの発生を行うことができる。
【００８４】
本発明に係るイオン発生装置は、前記イオン発生器（３）を作動させるスイッチ（４）と、前記イオン発生器（３）及び前記送風機（２）の停止を制御する停止制御部（５１）とを備え、前記送風機（２）及びイオン発生器（３）が作動している場合に、前記スイッチ（４）がオフとされたとき、前記停止制御部（５１）は、前記イオン発生器（３）を停止させ、所定時間経過後、前記送風機（２）を停止させるようにしてあることを特徴とする。
【００８５】
本発明にあっては、送風機（２）及びイオン発生器（３）が作動している場合に、前記スイッチ（４）がオフとされたとき、前記停止制御部（５１）は、イオン発生器（３）を停止させ、所定時間経過後、前記送風機（２）を停止させる。
【００８６】
したがって、イオン発生器（３）が停止した後、放電電極（３１ａ，３１ｂ）に付着した塵埃を送風機（２）が発生させた空気流により、吹き飛ばすことができる。これにより、イオンの発生の停止後に放電電極（３１ａ，３１ｂ）を自動で清掃し、次回の作動時にイオン発生器（３）が十分にイオンの発生を行うことができる。
【００８７】
本発明に係るイオン発生装置は、前記イオン発生器（３）及び前記送風機（２）を作動させるスイッチ（４）と、前記イオン発生器（３）及び前記送風機（２）の作動及び停止を制御する制御部（５１）を備え、前記制御部（５１）は、前記スイッチ（４）がオンとされた場合、前記イオン発生器（３）及び前記送風機（２）を作動させ、該作動から所定時間経過後、前記イオン発生器（３）を停止させ、該停止から所定時間経過後、前記イオン発生器（３）を作動させるようにしてあることを特徴とする。
【００８８】
本発明にあっては、イオン発生器（３）及び送風機（２）が作動している状態にて、制御部（５１）は、イオン発生器（３）及び送風機（２）の作動から所定時間経過後、イオン発生器（３）を停止させる。制御部（５１）は、前記停止から所定時間経過後、再度前記イオン発生器（３）を作動させる。
【００８９】
したがって、イオン発生器（３）が停止した後、放電電極（３１ａ，３１ｂ）に付着した塵埃を送風機（２）の動作により発生する空気流により、吹き飛ばすことができる。所定時間が経過した後、イオン発生器（３）が再度作動し、イオンが放出される。したがって、イオン発生装置を長時間駆動する場合であっても、間欠的に送風機（２）のみ駆動する運転が行われる。したがって、送風機（２）が発生させる空気流により、放電電極（３１ａ，３１ｂ）に付着した塵埃を吹き飛ばすことができるので、イオンの発生量を十分に保つことができる。
【００９０】
本発明に係るイオン発生装置は、前記空気流の前記イオン発生器（３）よりも下流側に塵埃を捕捉する捕捉部（６）が配されていることを特徴とする。
【００９１】
本発明にあっては、イオン発生器（３）よりも下流側に塵埃を捕捉する捕捉部（６）が配されている。空気流により放電電極（３１ａ，３１ｂ）に付着した塵埃を吹き飛ばし、捕捉部（６）により塵埃を捕捉することができる。これにより、イオン発生装置が設置される居住空間を清潔に保つことができる。
【符号の説明】
【００９２】
２  送風機
３  イオン発生器
３１ａ，３１ｂ  放電電極
３３  保護カバー（支持体）
３６ａ，３６ｂ  弾性体
３７ａ，３７ｂ  支持部（筒部）
３８ａ，３８ｂ  清掃体
４  運転スイッチ
５１  制御部
６  捕捉部
【図１】
2016046046.tif 000003
【図２】
2016046046.tif 000004
【図３】
2016046046.tif 000005
【図４】
2016046046.tif 000006
【図５】
2016046046.tif 000007
【図６】
2016046046.tif 000008
【図７】
2016046046.tif 000009
【図８】
2016046046.tif 000010
【図９】
2016046046.tif 000011
【図１０】
2016046046.tif 000012
【図１１】
2016046046.tif 000013
【図１２】
2016046046.tif 000014
【図１３】
2016046046.tif 000015
【図１４】
2016046046.tif 000016